(57)【特許請求の範囲】
【請求項１】
文字盤上を回動する指針と、
前記指針を駆動する駆動手段と、
前記文字盤上に設けられる表示手段と、
前記指針の形状及び位置と前記表示手段の表示領域とに基づいて、前記指針が前記表示手段の表示領域と重ならない位置である退避位置を求める退避位置取得手段と、
前記駆動手段に前記退避位置取得手段によって取得された退避位置へ前記指針を退避させる退避手段と、
を備えることを特徴とする電子時計。
【請求項２】
前記指針は、分針及び時針からなり、
前記退避位置取得手段は、前記分針及び時針のそれぞれの幅及び長さを前記指針の形状として、前記分針及び時針のそれぞれの前記退避位置を求める、
ことを特徴とする請求項１に記載の電子時計。
【請求項３】
ユーザの表示モードの選択操作を受け付ける選択操作受付手段と、
前記指針が前記表示手段の表示領域と重なっているかどうかを判定する判定手段と、
をさらに備え、
前記表示モードは、前記指針で時刻を表示する時刻表示モードと、該時刻表示モード以外の表示モードを含み、
前記選択操作受付手段によって、前記時刻表示モード以外のモードが選択されたことを契機に、前記判定手段は前記判定を行い、該判定で重なっていると判定された場合に前記退避位置取得手段は前記退避位置を求め、前記退避手段は該退避位置に基づいて前記指針を退避させる、
ことを特徴とする請求項１又は２に記載の電子時計。
【請求項４】
前記時刻表示モード以外の表示モードは、
デジタルデータを表示するデジタル表示モードと、
秒数の計時情報を表示する計時表示モードと、
日付を表示する日付表示モードと、
を含み、
前記表示手段は、前記選択操作受付手段によって選択された前記時刻表示モード以外の表示モードに対応する表示手段である、
ことを特徴とする請求項３に記載の電子時計。
【請求項５】
ユーザからの退避指示を受け付ける退避指示受付部と、
前記指針が前記表示手段の表示領域と重なっているかどうかを判定する判定手段と、
をさらに備え、
前記退避指示受付部が前記退避指示を受け付けたことを契機に、前記判定手段は前記判定を行い、該判定で重なっていると判定された場合に、前記退避位置取得手段は前記退避位置を求め、前記退避手段は該退避位置に基づいて前記指針を退避させる、
ことを特徴とする請求項１又は２に記載の電子時計。
【請求項６】
文字盤上を回動する指針を駆動する駆動手段と、
前記指針の形状及び位置と前記文字盤上の表示手段の表示領域とに基づいて、前記指針が前記表示手段の表示領域と重ならない位置である退避位置を求める退避位置取得手段と、
前記駆動手段に前記退避位置取得手段によって取得された退避位置へ前記指針を退避させる退避手段と、
を備えることを特徴とする駆動装置。
【発明の詳細な説明】
【技術分野】
【０００１】
本発明は、指針によるアナログ表示とデジタル表示とを兼ね備えた電子時計及びその駆動装置に関する。
【背景技術】
【０００２】
文字盤上で指針による現在時刻の表示部（アナログ時刻表示部）とその他の表示部（例えばデジタル表示部）とを備えた電子時計が広く普及している。このような電子時計において、例えばユーザがデジタル表示部を視認する際に、指針がデジタル表示部の上方に重なっている場合、デジタル表示部の視認性が悪化する。
【０００３】
このような問題を解消するために、例えば、特許文献１には、指針がデジタル表示部の上方に重なっている場合に指針を退避させる電子時計が開示されている。この電子時計は、予め時針と分針が互いに重なる複数の位置を退避先の候補として記憶している。そして、ユーザによって針退避操作が行われると、電子時計は、退避先の候補から、時針及び分針の現在位置から最も退避量（駆動手段のステップ数）が少ない退避先を選択して時針及び分針を退避させる電子時計が開示されている。
【先行技術文献】
【特許文献】
【０００４】
【特許文献１】特開２０１３−３６９０９号公報
【発明の概要】
【発明が解決しようとする課題】
【０００５】
特許文献１では、時針と分針が重なる複数の位置を退避先の候補としている。しかし、これらの退避先の候補は数カ所しかない。そのため、これらの退避先の候補から最も退避量が少ない退避先を選択しても、選択された退避先は、退避先の候補以外で最も退避量が少なくかつ指針がデジタル表示部との重ならない位置と合致しない。
【０００６】
したがって、特許文献１の電子時計では、退避量に無駄がある。そのため、指針を退避させるために要する時間が長くなり、退避に伴う消費電力も増加してしまう。
【０００７】
そこで、本発明はこのような事情に鑑みてなされたものであって、無駄な退避量を抑えつつ、視認性を向上させることができる電子時計等を提供することを目的とする。
【課題を解決するための手段】
【０００８】
上記目的を達成するため、本発明に係る電子時計は、
文字盤上を回動する指針と、
前記指針を駆動する駆動手段と、
前記文字盤上に設けられる表示手段と、
前記指針の形状及び位置と前記表示手段の位置とに基づいて、前記指針が前記表示手段の表示領域と重ならない位置である退避位置を求める退避位置取得手段と、
前記駆動手段に前記退避位置取得手段によって取得された退避位置へ前記指針を退避させる退避手段と、
を備えることを特徴とする。
【発明の効果】
【０００９】
本発明によれば、無駄な退避量を抑えつつ、視認性を向上させることができる。
【図面の簡単な説明】
【００１０】
【図１】実施形態に係る電子時計の外観を示す図である。
【図２】実施形態に係る電子時計の構成例を示すブロック図である。
【図３】参照情報の一例を示す図であり、（Ａ）は針形状情報テーブルを示し、（Ｂ）は表示領域情報テーブルを示している。
【図４】退避制御処理のフローチャートの一例を示す図である。
【図５】指針退避の動作例１を示す図である。
【図６】指針退避の動作例２を示す図である。
【図７】指針退避の動作例３を示す図である。
【発明を実施するための形態】
【００１１】
（実施形態）
以下、本発明の実施形態について図面を参照して説明する。
【００１２】
図１に示すように、本発明の実施形態に係る電子時計１００は、指針によるアナログ表示とデジタル表示とを兼ね備えた腕時計である。電子時計１００は、文字盤２０上に、２つの指針である分針２１及び時針２２を備える。分針２１は長針であり、時針２２は短針である。分針２１は時針２２に比べて細長い形状を有する。分針２１及び時針２２は、文字盤２０上の中央に位置する回動軸を中心に回動する。
【００１３】
図２は、電子時計１００の構成例を示すブロック図である。電子時計１００は、上述した文字盤２０、分針２１及び時針２２に加えて、さらに駆動部１１０と、ＲＯＭ（Read Only Memory）１２０と、ＲＡＭ（Random Access Memory）１３０と、操作部１４０と、デジタル表示部１５０と、秒針２５を有する計時表示部１６０と、日車である日付表示部１７０と、制御部１８０とを備える。
【００１４】
駆動部１１０は、複数のステッピングモータ及び輪列機構等から構成される。駆動部１１０は、制御部１８０からの駆動制御信号（パルス信号）に基づいて、複数のステッピングモータをそれぞれ別々に駆動する。分針２１と、時針２２と、計時表示部１６０の秒針２５と、日付表示部１７０の日車と、の回動軸は、輪列機構を介してそれぞれ別々のステッピングモータに接続される。これにより、駆動部１１０は、分針２１、時針２２、秒針２５、及び日車をそれぞれ別々に駆動する。なお、ステッピングモータは、例えば時計回りと反時計回りのように、正転と逆転の双方向に回転可能に構成される。また、分針２１と時針２２の駆動において、正転の方が逆転よりも回転速度が速くなるように構成される。
【００１５】
ＲＯＭ１２０は、フラッシュメモリ等の不揮発性メモリから構成される。ＲＯＭ１２０は、制御部１８０が各種機能を制御するためのプログラムやデータを記憶する。
【００１６】
ＲＡＭ１３０は、揮発性メモリから構成される。ＲＡＭ１３０は、制御部１８０が各種処理を行うためにデータを一時的に記憶するための作業領域として用いられる。
【００１７】
操作部１４０は、表示モードの選択操作受付用のプッシュ式のボタン２３と手動による時刻合わせ用のリューズ２４とから構成される。操作部１４０は、ユーザが指示を入力するために用いられるインタフェースである。図１に示すように、ボタン２３及びリューズ２４は、それぞれ文字盤２０の側面に設けられる。
【００１８】
リューズ２４は、引っ張られた状態で回転可能となっている。ユーザは、リューズ２４を強く引っ張った状態で回転させることによって日付合わせを行うことができる。また、ユーザは、リューズ２４を弱く引っ張った状態で回転させることによって時刻（時分）合わせを行うことができる。なお、リューズ２４が引っ張られると、上述した駆動部１１０と、分針２１、時針２２、及び日車との接続は一旦解除され、リューズ２４による回転に連動する状態となる。すなわち、日付合わせや時刻合わせの際において、駆動部１１０による回動は停止した状態となる。
【００１９】
ボタン２３は、ユーザによって押下されることによって、表示モードを切替え選択する。表示モードには、時刻表示モードと、デジタル表示モードと、計時表示モードと、日付表示モードと、の４種類がある。時刻表示モードでは、文字盤２０上の指針で時刻を表示する通常の時計機能が優先され、時刻表示モード以外の表示モードでは、他の機能が優先される。
【００２０】
デジタル表示部１５０は、例えば、ＬＣＤ（Liquid Crystal Display）、ＥＬ（Electroluminescence）ディスプレイ等によって構成される。デジタル表示部１５０は、ユーザがデジタル表示モードを選択した場合に使用され、制御部１８０から入力されたデジタルデータを表示する。デジタルデータは、例えばストップウォッチ機能による計時時間、世界時計、タイマー、アラーム等を示す数値データである。図１に示すように、デジタル表示部１５０は、文字盤２０上の中央下部に設けられる。
【００２１】
計時表示部１６０は、図１に示すように、文字盤２０上の左上部に設けられる。計時表示部１６０は、目盛（不図示）を付した小さな文字盤２６と秒針２５とを有する。秒針２５は、文字盤２６の中心を回動軸として回動する。計時表示部１６０は、計時秒を表示する。なお、秒針２５も厳密には指針であるが、本願明細書において、「指針」という場合には、秒針２５は含まないものとする。
【００２２】
日付表示部１７０は、図１に示すように、文字盤２０上の右部に設けられる。日付表示部１７０は、日付が付された日車であり、指針の回動軸に対して垂直の回転軸で回転する。日付表示部１７０は、日付を表示する。
【００２３】
制御部１８０は、例えばＣＰＵによって構成される。制御部１８０は、ＲＯＭ１２０に記憶された各種プログラムを実行することにより、電子時計１００の全体の動作を制御する。
【００２４】
次に、電子時計１００の制御部１８０の機能的構成について説明する。図２に示すように、制御部１８０は、モード選択受付部１８１、参照情報取得部１８２、指針位置取得部１８３、判定部１８４、退避位置取得部１８５、退避実行部１８６、計時部１８７、クロック信号生成部１８８として機能する。
【００２５】
モード選択受付部１８１は、操作部１４０のボタン２３の押下による表示モード切替え選択を受け付けて、選択された表示モードを識別する。
【００２６】
参照情報取得部１８２は、ＲＯＭ１２０に記憶された参照情報を取得する。ここで、本願明細書において、参照情報とは、時刻表示モード以外の表示モードが選択されている場合に、時刻を表示する指針が選択されている表示モードに対応する表示部の表示領域と重なっているかどうかを判定する際、及び重なっていると判定された場合に退避位置を求める際に参照される情報である。なお、参照情報は、製造業者又はユーザによって、電子時計１００の製造時又は初期設定時に入力される。
【００２７】
ここで、図１及び図３を参照しながら参照情報について詳しく説明する。参照情報は、例えば、針形状情報テーブル１９１と、表示領域情報テーブル１９２とからなる。図３（Ａ）に示すように、針形状情報テーブル１９１には、分針２１及び時針２２の針形状情報が記憶される。針形状情報は、指針の長さＬ（ｍｍ）及び幅Ｗ（ｍｍ）を示すデータである。なお、指針の幅は最大幅である。図３（Ｂ）に示すように、表示領域情報テーブル１９２には、デジタル表示部１５０と計時表示部１６０と日付表示部１７０との表示領域をグリッド座標群として示すデータがそれぞれ記憶される。
【００２８】
ここで、グリッド座標群とはグリッド座標の集合を意味する。グリッド座標は、図１において文字盤２０上の平面を縦横に細かく分割して得られるグリッドに付す座標である。グリッドは、例えば０．１（ｍｍ）×０．１（ｍｍ）の正方形である。グリッド座標は、例えば図１において文字盤２０の中心位置を原点とし、そこから３時方向をｘ軸の正方向、１２時方向をｙ軸の正方向とする直交座標系（ｘ，ｙ）で示される。
【００２９】
例えば、図３（Ｂ）において、デジタル表示部１５０のグリッド座標群は、（−１５０，−１６０）…（５０，−１２０）と、（１００，−１６０）…（１５０，−１２０）との２つの領域が示されている。これは、図１においてデジタル表示部１５０に表示されている「１９：４０」と「１３」の間に表示領域でない隙間が存在するためである。隙間はグリッド座標群（５０，−１６０）…（１００，−１２０）に相当する。
【００３０】
一方、計時表示部１６０と日付表示部１７０には、図１において全領域が表示領域であり、隙間が存在しない。そのため、図３（Ｂ）において、計時表示部１６０と日付表示部１７０の表示領域は、１つのグリッド座標群のみである。
【００３１】
なお、図３（Ｂ）に示すグリッド座標群は、理解の容易のために、表示領域の座標群のうち、最もｘの値が小さい座標と、最もｘの値が大きい座標とを代表例として示し、その他の座標は「…」で省略している。すなわち、表示領域が直方形状であって、その直方形状の２つの角部の座標を示しているわけではない。例えば、計時表示部１６０の表示領域は、図１に示すように円形である。この場合、計時表示部１６０の表示領域のグリッド座標群は、円形の左端の座標と右端の座標を代表例として示している。なお、計時表示部１６０の表示領域のグリッド座標群は、厳密には、図１に示される円形を細かな正方形のグリッドで近似したような形状に相当するグリッド座標群である。
【００３２】
ここで、参照情報の説明を終わり、再び図２に示す電子時計１００の制御部１８０の機能的構成の説明に戻る。
【００３３】
指針位置取得部１８３は、現在の指針（分針２１及び時針２２）の位置を取得する。指針の位置は、指針の回動角度である。なお、制御部１８０は、参照情報取得部１８２が取得する針形状情報と、指針位置取得部１８３が取得する指針の位置とに基づいて、指針が現在占めている領域をグリッド座標群として取得する。
【００３４】
判定部１８４は、指針（分針２１及び時針２２）が選択されている表示モードに対応する表示部（デジタル表示部１５０、計時表示部１６０、日付表示部１７０のいずれか１つ）の表示領域と重なっているかどうかを判定する。判定部１８４は、指針が現在占めている領域と、選択されている表示モードに対応する表示部の表示領域と、を比較して、それらのグリッド座標群に同じ座標が含まれているかどうかによって判定する。同じ座標が存在する場合には、重なっていると判定し、同じ座標が存在しない場合には、重なっていないと判定する。
【００３５】
退避位置取得部１８５は、判定部１８４が重なっていると判定した場合に、指針の退避位置を求める。退避位置取得部１８５は、指針の形状（参照情報取得部１８２が取得する針形状情報）及び位置（回動角度）と、選択されている表示モードに対応する表示部の表示領域（グリッド座標群）とに基づいて、指針（分針２１及び時針２２）が当該表示部の表示領域と重ならない位置を退避位置として求める。
【００３６】
退避位置取得部１８５は、最短時間で退避できる位置を退避位置として選択する。例えば、現在位置から正転方向と逆転方向の２つの直近位置を探索し、いずれか早い方を退避位置として選択する。すなわち、退避位置取得部１８５は、退避位置を求める際に、移動に必要なステッピングモータのステップ数と正転方向及び逆転方向の回転速度との双方を考慮する。
【００３７】
退避実行部１８６は、退避位置取得部１８５によって取得された退避位置に指針を退避させる指針退避を実行する。退避実行部１８６は、駆動部１１０に駆動信号を入力して駆動部１１０の指針に接続されたステッピングモータを通常よりも早い速度で回転させ、目標である退避位置に相当するステップ数となるまで回転させる。
【００３８】
計時部１８７は、クロック信号生成部１８８のクロック信号のパルス数をカウントするカウンタ回路から構成される。計時部１８７は、カウントしているパルス数に基づいて時刻を計時する。
【００３９】
クロック信号生成部１８８は、基準クロックを生成する水晶発振器及び基準クロックから所望の周波数のクロック信号を生成する可変ＰＬＬ等から構成される。このクロック信号の周波数は、可変ＰＬＬ（phase-locked loop）の分周比を変えることによって制御される。
【００４０】
以上、電子時計１００の構成について説明した。次に、図４のフローチャートを参照しながら、電子時計１００の指針退避を行う退避制御処理について説明する。
【００４１】
この処理は、例えば電子時計１００の起動時に開始される。まず、ユーザが操作部１４０のボタン２３を押下すると、制御部１８０のモード選択受付部１８１は、その表示モードの切替え選択を受け付ける（ステップＳ１０１）。
【００４２】
制御部１８０のモード選択受付部１８１は、その選択された表示モードを識別する（ステップＳ１０２）。その結果、選択された表示モードが時刻表示モードである場合（ステップＳ１０２；Ｎｏ）、制御部１８０は、ステップＳ１０１に戻り、再び表示モードの切替え選択を受け付けるまで待機する。選択された表示モードが時刻表示モード以外の表示モードである場合（ステップＳ１０２；Ｙｅｓ）、制御部１８０は、選択された表示モードに対応する表示部（例えばデジタル表示部１５０）を特定する（ステップＳ１０３）。
【００４３】
次に、制御部１８０の参照情報取得部１８２は、ＲＯＭ１２０から図３（Ａ）、（Ｂ）に示す参照情報を取得する（ステップＳ１０４）。制御部１８０の指針位置取得部１８３は、現在の指針位置（分針２１及び時針２２を駆動するステッピングモータのステップ数）を取得する（ステップＳ１０５）。ここで、制御部１８０は、参照情報取得部１８２によって取得された参照情報に含まれる針形状情報（図３（Ａ）の針形状情報テーブル１９１）と、指針位置取得部１８３が取得した現在の指針位置とに基づいて、指針が現在占めている領域をグリッド座標群として取得する。
【００４４】
制御部１８０の判定部１８４は、指針（分針２１及び時針２２）が、選択されている表示モードに対応する表示部の表示領域（例えば、図３（Ｂ）の表示領域情報テーブル１９２に含まれるデジタル表示部１５０のグリッド座標群）と重なっているかどうかを判定する（ステップＳ１０６）。
【００４５】
制御部１８０の判定部１８４が重なっていないと判定した場合（ステップＳ１０６；Ｎｏ）、制御部１８０は、ステップＳ１０１に戻り、再び表示モードの切替え選択を受け付けるまで待機する。制御部１８０の判定部１８４が重なっていると判定した場合（ステップＳ１０６；Ｙｅｓ）、制御部１８０の退避位置取得部１８５は退避位置を取得する（ステップＳ１０７）。
【００４６】
退避位置を取得すると、制御部１８０の退避実行部１８６は、退避処理を実行する（ステップＳ１０８）。制御部１８０の退避実行部１８６は、退避位置に相当するステップ数となるまで、駆動部１１０のステッピングモータを正転又は逆転させる。退避処理が終了すると、制御部１８０は、退避制御処理を一旦終了して、ステップＳ１０１に戻り、再び表示モードの切替え選択を受け付けるまで待機する。
【００４７】
以上が退避制御処理である。次に、この退避制御処理に基づく指針退避の動作例について説明する。なお、以下で説明する図５〜図７において、図１と共通する構成要素には同一の符号を付する。
【００４８】
まず、図５は、図１に示す電子時計１００の文字盤２０部分を拡大したものであり、分針２１が日付表示部１７０に重なっていて、時針２２が計時表示部１６０の表示領域に重なっている状態を示している。この状態において、計時表示モードが選択されると、仮想線で示すように、時針２２は、退避処理によって計時表示部１６０の表示領域と重ならない退避位置に退避する。
【００４９】
この退避処理において、時針２２は、時計回り方向に退避している。時針２２の現在位置から見ると反時計回りに退避した方が退避量（時針２２を回動させる角度）は小さい。しかし、時計回り方向の方がステッピングモータの回転速度が早いために、この退避処理は時針２２を時計回り方向の退避位置へ退避させている。また、選択されているのは計時表示モードであるため、分針２１が日付表示モードに対応する日付表示部１７０の表示領域と重なっていても分針２１が退避することはない。
【００５０】
図６及び図７は、電子時計１００の分針２１及び時針２２の長さや幅を変形した場合の指針退避の動作例を示している。また、図６と図７は、指針の位置が同じ位置（すなわち同一時刻）であるものとする。
【００５１】
図６において、分針３１と時針３２は、それぞれ幅が大きく長さも長い。また、分針３１及び時針３２がデジタル表示部１５０の表示領域に重なっているため、文字が見えにくくなっている。
【００５２】
この状態で、デジタル表示モードが選択されると、分針３１及び時針３２は、退避処理によって仮想線で示すように、それぞれ退避位置に退避される。特に、分針３１は、デジタル表示部１５０に重ならない位置まで退避される。
【００５３】
一方、図７において、分針４１と時針４２は、それぞれ幅が小さく長さも短い。指針の位置は図６と同じ位置であるにも関わらず、時針４２はその長さが短いためにデジタル表示部１５０の表示領域に重なっていない。ただし、分針４１はデジタル表示部１５０の表示領域に重なっている。
【００５４】
この状態で、デジタル表示モードが選択されると、分針４１のみが、退避処理によって仮想線で示すように、それぞれ退避位置に退避される。また、分針４１は、図６の場合と異なり、デジタル表示部１５０に重なる位置に退避される。
【００５５】
これは、分針４１が図６の分針３１に比べて幅が小さく長さも短いため、分針４１がデジタル表示部１５０の２つの表示領域の隙間に収まるからである。すなわち、分針４１は退避位置において、デジタル表示部１５０には重なっていてもデジタル表示部１５０の表示領域には重なっていない。
【００５６】
また、分針４１は、デジタル表示部１５０に重ならない位置ではなく、より退避量が少ないデジタル表示部１５０の２つの表示領域の隙間の方に退避している。そのため、分針４１の退避量は、図６の分針３１の退避量に比べて少ない。このように本実施形態の電子時計１００において、指針（分針２１及び時針２２）の幅及び長さが変わると指針退避の仕方が異なる。これは、制御部１８０が、指針の幅及び長さに基づいて、指針が、選択された表示モードに対応する表示部の表示領域と重なっているかどうかを判定し、指針の幅及び長さに基づいて、退避位置を求めているからである。
【００５７】
以上説明したように上記実施形態の電子時計１００は、分針２１及び時針２２の形状（長さと幅）及び位置と選択された表示モードに対応する表示部（例えばデジタル表示部１５０）の表示領域とに基づいて、分針２１及び時針２２が表示部（例えばデジタル表示部１５０）の表示領域と重ならない位置である退避位置を求めて、駆動部１１０に取得された退避位置に分針２１及び時針２２を退避させている。
【００５８】
この場合、電子時計１００は、分針２１及び時針２２の形状も考慮して求めた退避位置に分針２１及び時針２２を退避させる。そのため、分針２１及び時針２２の形状によっては、例えば図７のように、デジタル表示部１５０の表示領域の隙間に退避させることも可能である。
【００５９】
したがって、退避先として選択可能な候補が多くなり、その中から、最も退避量が少ない退避先（退避位置）を選択することができる。そのため、無駄な退避量を抑えることができる。その結果、指針を退避させるために要する時間が短くなり、消費電力も少なくすることができる。また、選択された表示モードに対応する表示部の表示領域に重ならない位置を退避位置とするため、視認性を向上させることができる。
【００６０】
また、図２に示す電子時計１００のうち、駆動部１１０と制御部１８０とからなる構成を独立して駆動装置とすると、この駆動装置は、上記電子時計１００の分針２１、時針２２、デジタル表示部１５０、計時表示部１６０、日付表示部１７０が別の指針又は表示部に置き換わってもそのまま使用することができる。
【００６１】
例えば、指針が別の指針に置き換わっても、その針形状情報をＲＯＭ１２０の針形状情報テーブル１９１に入力すれば、上記電子時計１００と同様な指針退避を実現できる。また、表示部が別の表示部に置き換わっても、その表示部の表示領域をＲＯＭ１２０の表示領域情報テーブル１９２に入力すれば、上記電子時計１００と同様な指針退避を実現できる。
【００６２】
したがって、駆動部１１０と制御部１８０からなる駆動装置は、多様な形状の指針及び表示部（表示領域）を有する電子時計にも使用することができ、汎用性に優れている。
【００６３】
以上が実施形態の説明である。なお、上記実施形態は一例であり、電子時計１００の具体的な構成や処理の内容などが上記実施形態で説明したものに限られない。そこで、以下、上記実施形態の変形例について説明する。
【００６４】
（変形例）
上記実施形態において、制御部１８０の退避位置取得部１８５は、ＲＯＭ１２０に記憶されている分針２１及び時針２２の長さ及び幅を示すデータを参照して、これらのデータに基づいて退避位置を求めている。しかし、本発明はこのような形態に限られない。例えば、分針２１及び時針２２の長さ及び幅を示すデータの代わりに、ＲＯＭ１２０に分針２１及び時針２２の形状を示すデータを記憶させ、これらのデータに基づいて退避位置を求めてもよい。
【００６５】
また、上記実施形態において、電子時計１００は、ボタン２３の押下によって、時刻表示モード以外の表示モードが選択されたことを契機に、制御部１８０の判定部１８４が指針と選択された表示モードに対応する表示部の表示領域が重なっているかどうかの判定を行い、判定部１８４によって重なっていると判定された場合に指針の退避が実行されている。
【００６６】
しかし、制御部１８０の判定部１８４の判定及び指針の退避は、時刻表示モード以外の表示モードが選択された場合ではなく他のことを契機に実行されるようにしてもよい。例えば、表示モードの切替え選択ではなくユーザからの退避指示を契機としてもよい。この場合、指針を退避させるタイミングはユーザが自由に決めることができる。なお、このような子時計は、例えば、ボタン２３の代わりに、ユーザから退避指示を受け付けるボタンを備え、制御部１８０のモード選択受付部１８１の代わりに、ユーザからの退避指示を受け付ける退避指示受付部を備える。
【００６７】
上記実施形態において、デジタル表示部１５０、計時表示部１６０、日付表示部１７０の表示領域を示すデータは、図３（Ｂ）のようにグリッド座標群としている。しかし、表示部の表示領域を示すデータは、グリッド座標群ではなく、中心位置のグリッド座標と、縦方向寸法（ｙ軸方向の長さ）及び横方向寸法（ｘ軸方向の長さ）としてもよい。ただし、この場合は、計時表示部１６０のように実際の表示領域が円形であっても、表示領域は直方形状を示すデータとなるため、円形の表示部がない場合にのみ適用されることが好ましい。
【００６８】
上記実施形態では、指針の位置は、指針の回動角度としている。しかし、指針の回動角度に限らず、その指針を駆動しているステッピングモータのステップ数としてもよいし、その指針を駆動しているステッピングモータのステップ数から指針の回動角度を換算し、その換算により求めた回動角度としてもよい。
【００６９】
上記実施形態では、ＲＯＭ１２０の針形状情報テーブル１９１に含まれる分針２１及び時針２２の幅を示すデータとして最大幅を使用している。しかし、最大幅に限らず、平均幅であってもよい。また、分針２１及び時針２２の幅を示すデータは、表示部の表示領域と重なる部分における最大幅であることが最も好ましいため、そのような幅を示すデータを使用してもよい。また、分針２１及び時針２２が表示部の表示領域と重なる部分は、指針の根元付近であることはほとんどないため、そのような部分を除いて幅を決定してもよい。
【００７０】
上記実施形態では、参照情報をＲＯＭ１２０に記憶するようにしているが、これに限られない。例えば、参照情報をＲＡＭ１３０に記憶するようにしてもよい。
【００７１】
上記実施形態では、グリッド座標を直交座標（ｘ，ｙ）で示しているが、文字盤２０の中心を原点として、そこからの距離Ｒと原点から３時方向に向かう軸に対してなす角度θを使用して極座標（Ｒ，θ）で示してもよい。退避処理における実際の操作量は、指針の回動角度（指針を駆動するステッピングモータのステップ数）である。そのため、グリッド座標に極座標を使用する場合、グリッド座標が示す角度θは、操作量である回動角度と直接対比させることができる点で有利である。
【００７２】
上記実施形態において、表示モードは、時刻表示モードと、デジタル表示モードと、計時表示モードと、日付表示モードの４種類とされている。しかし、本発明はこれに限られない。時刻表示モード以外に表示部に対応する何らかの表示モードが１つ以上あればよい。
【００７３】
以上、本発明の好ましい実施形態及び変形例について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する。
【００７４】
（付記１）
文字盤上を回動する指針と、
前記指針を駆動する駆動手段と、
前記文字盤上に設けられる表示手段と、
前記指針の形状及び位置と前記表示手段の表示領域とに基づいて、前記指針が前記表示手段の表示領域と重ならない位置である退避位置を求める退避位置取得手段と、
前記駆動手段に前記退避位置取得手段によって取得された退避位置へ前記指針を退避させる退避手段と、
を備えることを特徴とする電子時計。
【００７５】
（付記２）
前記指針は、分針及び時針からなり、
前記退避位置取得手段は、前記分針及び時針のそれぞれの幅及び長さを前記指針の形状として、前記分針及び時針のそれぞれの前記退避位置を求める、
ことを特徴とする付記１に記載の電子時計。
【００７６】
（付記３）
ユーザの表示モードの選択操作を受け付ける選択操作受付手段と、
前記指針が前記表示手段の表示領域と重なっているかどうかを判定する判定手段と、
をさらに備え、
前記表示モードは、前記指針で時刻を表示する時刻表示モードと、該時刻表示モード以外の表示モードを含み、
前記選択操作受付手段によって、前記時刻表示モード以外のモードが選択されたことを契機に、前記判定手段は前記判定を行い、該判定で重なっていると判定された場合に前記退避位置取得手段は前記退避位置を求め、前記退避手段は該退避位置に基づいて前記指針を退避させる、
ことを特徴とする付記１又は２に記載の電子時計。
【００７７】
（付記４）
前記時刻表示モード以外の表示モードは、
デジタルデータを表示するデジタル表示モードと、
秒数の計時情報を表示する計時表示モードと、
日付を表示する日付表示モードと、
を含み、
前記表示手段は、前記選択操作受付手段によって選択された前記時刻表示モード以外の表示モードに対応する表示手段である、
ことを特徴とする付記３に記載の無線通信装置。
【００７８】
（付記５）
ユーザからの退避指示を受け付ける退避指示受付部と、
前記指針が前記表示手段の表示領域と重なっているかどうかを判定する判定手段と、
をさらに備え、
前記退避指示受付部が前記退避指示を受け付けたことを契機に、前記判定手段は前記判定を行い、該判定で重なっていると判定された場合に、前記退避位置取得手段は前記退避位置を求め、前記退避手段は該退避位置に基づいて前記指針を退避させる、
を備えることを特徴とする付記１又は２に記載の電子時計。
【００７９】
（付記６）
文字盤上を回動する指針を駆動する駆動手段と、
前記指針の形状及び位置と前記文字盤上の表示手段の表示領域とに基づいて、前記指針が前記表示手段の表示領域と重ならない位置である退避位置を求める退避位置取得手段と、
前記駆動手段に前記退避位置取得手段によって取得された退避位置へ前記指針を退避させる退避手段と、
を備えることを特徴とする駆動装置。
【符号の説明】
【００８０】
２０…文字盤、２１，３１，４１…分針、２２，３２，４２…時針、２３…ボタン、２４…リューズ、２５…秒針、２６…文字盤、１００…電子時計、１１０…駆動部、１２０…ＲＯＭ、１３０…ＲＡＭ、１４０…操作部、１５０…デジタル表示部、１６０…計時表示部、１７０…日付表示部、１８０…制御部、１８１…モード選択受付部、１８２…参照情報取得部、１８３…指針位置取得部、１８４…判定部、１８５…退避位置取得部、１８６…退避実行部、１８７…計時部、１８８…クロック信号生成部、１９１…針形状情報テーブル、１９２…表示領域情報テーブル
【図１】
0006544174.tif 000002
【図２】
0006544174.tif 000003
【図３】
0006544174.tif 000004
【図４】
0006544174.tif 000005
【図５】
0006544174.tif 000006
【図６】
0006544174.tif 000007
【図７】
0006544174.tif 000008